(57)【要約】【課題】この考案は、市販の単管を用い簡易建物ならびに仮設建物および塀、柵、台などを製作する場合に用いる連結継手となる、組合せ式単管用連結金具に関するものである。【解決手段】単管の端部を挿入する円筒状基体１と、挿入された単管を係止めするためのホロー・セットスクリュー２とナット状金具３および連結用の雌ネジを切ったネジ蓋４から構成されている円筒状受具Ａ、および３軸の孔を有する立方体のブロック金具Ｂとを連結する、自在金具Ｄから構成される。【選択図】図８
0003124734.tif 000002
【実用新案登録請求の範囲】
【請求項１】
市販の単管を用いて、簡易建物ならびに仮設建物および構築物や棚などを製作する場合に、単管を挿入する円筒状基体（１）と挿入された単管を固定する係止部となるホロセットスクリュー（２）とナット状金具（３）および連結用の雌ネジを切ったネジ蓋（４）から構成されている円筒状受具（Ａ）と、３軸の孔を有する立方体のブロック金具（Ｂ）とを接続する直結金具（Ｃ）又は自在金具（Ｄ）から構成される組合せ式単管用連結金具。
【請求項２】
請求項１の組合せ式単管用連結金具について、円筒状受具（Ａ）と、２軸の孔を有する立方体のブロック金具（Ｂ）の機能を併せ持つ、多機能円筒状受具（Ｅ）。
【請求項３】
請求項１の組合せ式単管用連結金具について、単管が貫通できる円筒状受具（Ａ）と、２軸の孔を有する立方体のブロック金具（Ｂ）の機能を併せ持つ、貫通円筒状受具（Ｆ）。
【請求項４】
請求項１の組合せ式単管用連結金具について、円筒状受具（Ａ）と、自在金具（Ｄ）の機能を併せ持つ、自在円筒状受具（Ｇ）。
【考案の詳細な説明】
【考案の詳細な説明】
【技術分野】
【０００１】  本考案は、市販の単管（通常は外径４８．６ｍｍ、肉厚２．４ｍｍ又は１．８ｍｍを使用して、被災者救護用テント、救難物資用倉庫などの仮設建物や資材倉庫および車庫、物置、温室などの簡易建物ならびに塀、柵などの構築物や棚、台などを製作する場合に用いる連結継手となる、組合せ式単管用連結金具に関するものである。
【背景技術】
【０００２】  従来、この種の固定若しくは自在の連結金具は、単管を使用するパイプ足場や仮囲に用いられる、直交クランプや３連クランプなどが知られている。
【考案が解決しようとする課題】
【０００３】  従来の技術で述べた連結金具は、継手の形状が固定されているために、単一の機能のみを有する構造であり、単管の接続箇所ごとに、それに対応する専用連結金具が必要である。
【０００４】  本考案は、従来の技術の有するこのような問題点に鑑みてなされたものでありその目的とするところは、単管を使用して製作する仮設建物、簡易建物、構築物などの組み立てを容易にするために、数種類の部品を選択し組合せることにより、使用される単管の配置に対応して継手の形状を自由に変更することが出来る組合せ式単管用連結金具を提供しようとするものである。
【課題を解決するための手段】
【０００５】  上記目的を達成するために、本考案における組合せ式単管用連結金具は、雌ネジを切ったネジ蓋４が一端に取り付けられ、他端から単管の端部を挿入する円筒状基体１と、その挿入された単管を係止めするためのホロセットスクリュー２とナット状金具３から構成されている円筒状受具Ａおよび３軸の孔を有する立方体のブロック金具Ｂとを連結する直結金具Ｃ又は自在金具Ｄから構成される。
【０００６】  多機能円筒状受具Ｅは、円筒状受具Ａとブロック金具Ｂの機能を併せ持つ構造である。
【０００７】  貫通円筒状受具Ｆは、ネジ蓋を取り付けず単管が貫通できる円筒状受具Ａとブロック金具Ｂの機能を併せ持つ構造である。
【０００８】  自在円筒状受具Ｇは、円筒状受具Ａと自在金具Ｄの機能を併せ持つ構造である。
【考案を実施するための最良の形態】
【０００９】  考案の実施の形態について図面を参照にして説明する。【００１０】円筒状受具Ａは図１において、単管の端部が挿入される円筒状基体１が、２．０〜３．０ｍｍ程度の肉厚で、単管外形（通常は４８．６ｍｍ）より幾分大きめの内径を有する円筒状に形成されている。挿入された単管を係止めするために、先端部を尖らせたホロセットスクリュー２とナット状金具３を円筒状基体１に設けている。また、円筒状基体１の一端には連結に利用される雌ネジを切ったネジ蓋４が取り付けられている。【００１１】  ブロック金具Ｂは図２において、立方体のブロックに３軸方向に貫通したネジ孔が設けられている。【００１２】  直結金具Ｃは図３において、スパナ等の工具により回転をさせることが出来る切り欠きを有した雄ネジであり、ブロック金具Ｂと円筒状受具等の連結に用いられる。【００１３】  自在金具Ｄは図４において、連結ボルト５を介し回転が可能である一対の雄ネジであり、ブロック金具Ｂと円筒状受具等の連結に用いられる。【００１４】  多機能円筒状受具Ｅは図５において、円筒状受具Ａに２軸の孔を有するブロック金具Ｂの機能を付加した構造を有している。【００１５】  貫通円筒状受具Ｆは図６において、単管が貫通できる円筒状受具Ａに２軸の孔を有するブロック金具Ｂの機能を付加した構造を有している。【００１６】  自在円筒状受具Ｇは図７において、円筒状受具Ａに自在金具Ｄの機能を付加した構造を有している。
【考案の効果】
【００１７】  本考案は、上述のとおり構成されているので、次に記載する効果がある。
請求項１の円筒状受具Ａと、ブロック金具Ｂおよび直結金具Ｃ又は自在金具Ｄを使用することにより単管を用いて製作する各種建造物の組み立てが容易となるとともに連結箇所がシンプルとなり、外観的にも秀でている。
【００１８】  請求項２の多機能円筒状受具Ｅは、円筒状受具Ａと２軸の孔を有する多面体のブロック金具Ｂの機能を併せ持つ形状を有しているので、単管組み立て作業の省力化が可能となる。
【００１９】  請求項３の貫通円筒状受具Ｆは、単管が貫通できる円筒状受具Ａと２軸の孔を有する多面体のブロック金具Ｂの機能を併せ持つ形状を有しているので、単管組み立て作業の省力化が可能となる。
【００２０】  請求項４の自在円筒状受具Ｇは、円筒状受具Ａと、自在金具Ｄの機能を併せ持つ形状を有しているので、単管組み立て作業の省力化が可能となる。
【図面の簡単な説明】
【図１】  円筒状受具Ａの平面図、下面図および左側面図
【図２】  ブロック金具Ｂの平面図、下面図および左側面図
【図３】  直結金具Ｃの平面図、左側面図および下面図
【図４】  自在金具Ｄの平面図、左側面図および下面図、上面図
【図５】  多機能円筒状受具Ｅの平面図および下面図
【図６】  貫通円筒状受具Ｆの平面図および下面図
【図７】  自在円筒状受具Ｇの平面図および左側面図
【図８】  組合せ式単管用連結金具の組立図
【符号の説明】
１  円筒状基体
２  ホロセットスクリュー
３  ナット状金具
４  ネジ蓋
５  連結ボルト
Ａ  円筒状受具
Ｂ  ブロック金具
Ｃ  直結金具
Ｄ  自在金具
Ｅ  多機能円筒状受具
Ｆ  貫通円筒状受具
Ｇ  自在円筒状受具
【図１】
0003124734.tif 000003
【図２】
0003124734.tif 000004
【図３】
0003124734.tif 000005
【図４】
0003124734.tif 000006
【図５】
0003124734.tif 000007
【図６】
0003124734.tif 000008
【図７】
0003124734.tif 000009
【図８】
0003124734.tif 000010
【手続補正書】
【提出日】平成18年4月25日(2006.4.25)
【手続補正１】
【補正対象書類名】実用新案登録請求の範囲
【補正対象項目名】全文
【補正方法】変更
【補正の内容】
【実用新案登録請求の範囲】
【請求項１】
市販の単管を用いて、簡易建物ならびに仮設建物および構築物や棚などを製作する場合に、単管を挿入する円筒状基体（１）と挿入された単管を固定する係止部となるホロセットスクリュー（２）とナット状金具（３）および連結用の雌ネジを切ったネジ蓋（４）から構成されている円筒状受具（Ａ）と、３軸の孔を有する立方体のブロック金具（Ｂ）とを接続する直結金具（Ｃ）又は自在金具（Ｄ）から構成される組合せ式単管用連結金具。
【請求項２】
円筒状受具（Ａ）と、２軸の孔を有する立方体のブロック金具（Ｂ）の機能を併せ持つ、多機能円筒状受具（Ｅ）から構成される請求項１の組合せ式単管用連結金具。
【請求項３】
ネジ蓋（４）を設けず単管が貫通できる円筒状受具（Ａ）と、２軸の孔を有する立方体のブロック金具（Ｂ）の機能を併せ持つ、貫通円筒状受具（Ｆ）から構成される請求項１の組合せ式単管用連結金具。
【請求項４】
円筒状受具（Ａ）と、自在金具（Ｄ）の機能を併せ持つ、自在円筒状受具（Ｇ）から構成される請求項１の組合せ式単管用連結金具。